(57)【要約】【課題】設定情報に関する情報が印刷された媒体を読み取る構成にしても、設定情報を、外部への流出を抑えつつ印刷装置に比較的簡単に設定できる印刷装置、印刷ユニット、印刷制御装置、印刷システム及び印刷装置の設定方法を提供する。【解決手段】印刷装置は、移動可能に設けられた画像形成用のヘッドの一例としての印刷ヘッドと、印刷ヘッドと共に移動可能に設けられ、媒体に印刷された特殊コードを読み取る光学式センサー（読取部）と、搬送部、印刷ヘッド及び光学式センサーを制御する制御部とを備えている。制御部は、光学式センサーが媒体に印刷された特殊コード（例えばバーコード）を読み取り（Ｓ２２）、読取結果に基づき取得した設定情報を印刷装置に設定する（Ｓ２３〜Ｓ２７）。【選択図】図１２
2018001526.tif 000002
【特許請求の範囲】
【請求項１】
移動可能に設けられた画像形成用のヘッドと、
前記ヘッドと共に移動可能に設けられ、媒体に印刷された特殊コードを読み取る読取部と、
前記ヘッド及び前記読取部を制御する制御部と
を備え、
前記制御部は、前記読取部が前記特殊コードを読み取った読取結果に基づき設定情報を取得し、前記設定情報を設定することを特徴とする印刷装置。
【請求項２】
前記ヘッドは印刷ヘッドであり、
前記読取部は、前記印刷ヘッドが設けられたキャリッジに設けられていることを特徴とする請求項１に記載の印刷装置。
【請求項３】
印刷装置に設定可能な設定項目の一覧を示す設定項目一覧のデータを記憶する記憶部を更に備え、
前記制御部は、前記読取部が読み取った前記特殊コードを、少なくとも１組の設定項目と設定内容とに変換し、前記設定項目が前記設定項目一覧に含まれた設定項目と一致した場合は、当該一致した設定項目の設定内容を変更することを特徴とする請求項１又は２に記載の印刷装置。
【請求項４】
前記制御部は、入力装置を用いて入力された設定情報が暗号化された特殊コードを媒体に印刷することを特徴とする請求項１に記載の印刷装置。
【請求項５】
前記読取部は光学式センサーであり、
前記制御部は、設定モードの場合は、前記媒体に印刷された前記特殊コードを前記光学式センサーで読み取った読取結果に基づく前記設定情報を印刷装置に設定し、印刷モードかつ媒体種が郵便はがきである場合は、前記郵便はがきの郵便番号枠を前記光学式センサーで読み取り、前記郵便番号枠の読取結果に基づいて前記郵便はがきがセットされたセット向きの正否を判定し、前記セット向きが正しくない場合はエラー処理を行うことを特徴とする請求項１乃至４のいずれか一項に記載の印刷装置。
【請求項６】
前記印刷装置は、イメージセンサーを備えた複合機であって、
前記画像形成用のヘッドは読取ヘッドであり、
前記読取部は、前記読取ヘッドと共に移動可能なイメージセンサーであり、
前記制御部は、前記読取ヘッドを移動させて前記イメージセンサーに前記媒体の前記特殊コードを読み取らせることを特徴とする請求項１乃至５のいずれか一項に記載の印刷装置。
【請求項７】
ネットワーク通信部を更に備え、
前記設定情報は、前記ネットワーク通信部が通信ネットワークの形成に用いるネットワーク設定情報を含むことを特徴とする請求項１乃至６のいずれか一項に記載の印刷装置。
【請求項８】
印刷データを生成する印刷制御装置と、前記印刷制御装置から出力された印刷データに基づき媒体に印刷を行う印刷装置とを備えた印刷ユニットであって、
前記印刷制御装置は、
入力装置から受け付けた設定情報を暗号化して特殊コードを生成する暗号化処理部と、
前記特殊コードを印刷可能な印刷データを生成する印刷データ生成部と
を備え、
前記印刷装置は、
媒体を搬送する搬送部と、
前記媒体に印刷する印刷部と、
前記媒体に印刷された情報を読み取る読取部と、
前記搬送部、前記印刷部及び前記読取部を制御する制御部と
を備え、
前記制御部は、前記印刷制御装置から前記印刷装置が入力した印刷データに基づき前記搬送部及び前記印刷部を制御して前記媒体に前記特殊コードを印刷させることを特徴とする印刷ユニット。
【請求項９】
印刷装置と通信可能に接続されるホスト装置が備える印刷制御装置であって、
前記ホスト装置の入力装置から設定情報を受け付ける設定情報取得部と、
前記設定情報を暗号化して特殊コードに変換する暗号化処理部と、
前記特殊コードを前記印刷装置に印刷させることが可能な印刷データを生成する印刷データ生成部と
を備え、
前記印刷データを印刷装置に出力することを特徴とする印刷制御装置。
【請求項１０】
前記入力装置から入力された設定情報を表示するとともに設定モードを選択可能な設定画面を表示部に表示させる表示制御部を更に備え、
前記印刷データ生成部は、前記設定画面で前記設定モードが選択された状態で印刷の指示を受け付けると、前記設定情報を暗号化して変換した前記特殊コードを印刷可能な前記印刷データを生成し、一方、前記設定画面で前記設定モードが選択されていない状態で印刷の指示を受け付けると、前記設定情報を印刷条件とする印刷データを生成することを特徴とする請求項９に記載の印刷制御装置。
【請求項１１】
第１印刷装置と、１つ以上の第２印刷装置とを備えた印刷システムであって、
前記第１印刷装置及び前記第２印刷装置は、
媒体を搬送する搬送部と、
前記媒体に印刷する印刷部と、
前記媒体に印刷された情報を読み取る読取部と、
前記搬送部、前記印刷部及び前記読取部を制御する制御部と
をそれぞれ備え、
前記第１印刷装置の前記制御部は、設定情報が暗号化された特殊コードを印刷し、
前記第２印刷装置の前記制御部は、前記読取部が前記媒体から前記特殊コードを読み取った読取結果に基づく設定情報を前記第２印刷装置に設定することを特徴とする印刷システム。
【請求項１２】
画像形成用のヘッドと共に移動可能に設けられ、媒体に印刷された特殊コードを読み取る読取部を備えた印刷装置の設定方法であって、
前記読取部が前記画像形成用のヘッドと共に移動して、前記媒体に印刷された前記特殊コードを読み取る読取ステップと、
読み取った前記特殊コードに基づき設定情報を設定する設定ステップと、
を備えたことを特徴とする印刷装置の設定方法。
【発明の詳細な説明】
【技術分野】
【０００１】
本発明は、媒体に対して移動可能な画像形成用のヘッドと、媒体に印刷された情報を読み取り可能な読取部とを備えた印刷装置、印刷ユニット、印刷制御装置、印刷システム及び印刷装置の設定方法に関する。
【背景技術】
【０００２】
この種の印刷装置として、用紙等の媒体を搬送する搬送部と、媒体に印刷する印刷ヘッド（画像形成用のヘッドの一例）とを有する印刷装置が広く知られている（例えば特許文献１、２等）。通常、印刷装置では、ユーザーは入力装置を操作して各種の設定情報を設定する。この場合、印刷装置の少ない数の操作スイッチを使用し、表示部に表示される数字や記号を順番に切り換える操作を繰り返す面倒な操作を行う必要があるうえ、設定操作を間違えて誤設定する虞がある。
【０００３】
例えば、特許文献１に記載の印刷装置では、マークシートにマークされた設定情報の内容を印刷装置に読み取らせることで、印刷装置の現在の設定情報を複数のＬＥＤのうち点灯した位置によりユーザーに１項目（１行）ずつ知らせる。ユーザーがキー操作で設定項目の内容を変更する度に、マークシートは改行されるため、ユーザーは現在の設定内容をマークシートとＬＥＤとにより１項目ずつ確認しながら設定情報を変更することができる。
【０００４】
また、特許文献２には、媒体の前縁部に媒体の種類（タイプ）を示す特殊なコードを予め印刷しておき、印刷装置は媒体が給送されると、光学式センサーによりコードを読み取って媒体の種類（タイプ）を取得し、種類に応じた適切な印刷制御パラメータ（印刷条件）で媒体に印刷できる印刷装置が開示されている。特殊コードは媒体の前端部の幅方向の端部など特定位置に印刷され、コードを読み取る光学式センサーは印刷装置の所定位置に固定されている。
【先行技術文献】
【特許文献】
【０００５】
【特許文献１】特開平７−３０４２３０号公報
【特許文献２】特開平１１−９１０９１号公報
【発明の概要】
【発明が解決しようとする課題】
【０００６】
しかしながら、特許文献１に記載のマークシートを用いる設定方法では、設定情報を１項目ずつ現在の設定情報を確認しながら変更できるが、設定項目が多い場合が設定情報を変更する操作は面倒であった。特に近年、ネットワークを構築できる機能を有する印刷装置も存在し、この種の印刷装置には識別ＩＤやパスワード（暗号化キー）などの複数桁の英数字等からなるネットワーク設定情報を設定する必要がある。この種のネットワーク設定情報を設定する場合、特許文献１のようなマークシートに数字とアルファベットの大文字と小文字を選択できるように多数のマークを用意する必要があるうえ、多数桁の情報を１桁につき１行ずつマークを確認する必要があるため、誤設定の虞がある。また、設定情報に識別ＩＤやパスワード等の秘匿性の高い情報が含まれる場合、万一、ユーザーがマークシートを紛失した場合、その秘匿性の高い情報が外部へ流出することが心配される。
【０００７】
また、特許文献２では、媒体に印刷された特殊コードを光学式センサーにより読み取って、媒体の種類を認識し、その認識した種類に応じた印刷制御パラメーターで媒体に印刷することはできるが、設定情報を印刷装置に設定する機能は有していない。また、特殊コードを読み取る光学式センサーが印刷装置の所定位置に固定されていたため、媒体において光学式センサーが読み取り可能な特殊コードの印刷位置及び印刷範囲が制限され、特所コードにより読み取り可能な情報量が制限されていた。このため、印刷装置に設定する設定情報を読み取らせるためには、特殊コードを媒体におけるより広いエリアに印刷しても読み取りができることが望ましい。
【０００８】
本発明の目的は、設定情報に関する情報が印刷された媒体を読み取る構成にしても、設定情報を、外部への流出を抑えつつ印刷装置に比較的簡単に設定できる印刷装置、印刷ユニット、印刷制御装置、印刷システム及び印刷装置の設定方法を提供することにある。
【課題を解決するための手段】
【０００９】
以下、上記課題を解決するための手段及びその作用効果について記載する。
上記課題を解決する印刷装置は、移動可能に設けられた画像形成用のヘッドと、前記ヘッドと共に移動可能に設けられ、媒体に印刷された特殊コードを読み取る読取部と、前記ヘッド及び前記読取部を制御する制御部とを備え、前記制御部は、前記読取部が前記特殊コードを読み取った読取結果に基づき前記設定情報を取得し、前記設定情報を設定する。
【００１０】
この構成によれば、媒体に印刷された特殊コードを読取部が読み取った読取り結果に基づき設定情報が取得され、その設定情報が印刷装置に設定される。よって、媒体に印刷された特殊コードを読取部に読み取らせれば、印刷装置に設定情報を設定することができる。また、媒体に印刷されている情報が特殊コードなので、万一、その媒体を紛失しても、設定情報が外部に流出することを回避できる。また、読取部は画像形成用のヘッドと共に移動するので、印刷装置に読取部が固定された構成に比べ、媒体におけるより広いエリアに特殊コードを印刷できかつその読み取りができるため、媒体の種類を認識するときに必要な情報量よりも、より情報量の多い設定情報を読み取ってその設定情報を印刷装置に設定することができる。よって、設定情報に関する情報が印刷された媒体を読み取る構成にしても、設定情報を、外部への流出を抑えつつ印刷装置に比較的簡単に設定できる。
【００１１】
上記印刷装置において、前記ヘッドは印刷ヘッドであり、前記読取部は、前記印刷ヘッドが設けられたキャリッジに設けられていることが好ましい。
この構成によれば、印刷ヘッドを移動させるキャリッジを利用して、読取部を媒体に対して移動させることができる。このため、読取部専用の移動機構を設ける構成に比べ、比較的簡単な構成で実現できる。
【００１２】
上記印刷装置は、印刷装置に設定可能な設定項目の一覧を示す設定項目一覧のデータを記憶する記憶部を更に備え、前記制御部は、前記読取部が読み取った前記特殊コードを、少なくとも１組の設定項目と設定内容とに変換し、前記設定項目が前記設定項目一覧に含まれた設定項目と一致した場合は、当該一致した設定項目の設定内容を変更することが好ましい。
【００１３】
この構成によれば、読取部が読み取った特殊コードを、少なくとも１組の設定項目と設定内容とに変換し、設定項目が設定項目一覧に含まれた設定項目と一致した場合は、その一致した設定項目の設定内容が変更される。よって、印刷装置に設定情報を簡単かつ正しく設定することができる。
【００１４】
上記印刷装置において、前記制御部は、入力装置を用いて入力された設定情報が暗号化された特殊コードを媒体に印刷することが好ましい。
この構成によれば、入力装置を用いて入力された設定情報が暗号化された特殊コードが媒体に印刷される。つまり、１台の印刷装置が、特殊コードの印刷機能と特殊コードの読取り機能とを兼ね備える。例えば特殊コード印刷専用の印刷装置と、特殊コード読み取り専用の印刷装置が別々である構成の場合、この種の設定を行う場合に機能の異なる２台の印刷装置を用意する必要があるが、特殊コード印刷機能と特殊コード読み取り機能とを兼ね備えた印刷装置なので、機能を考慮せず印刷装置を順番に増やせばよい。
【００１５】
上記印刷装置において、前記読取部は光学式センサーであり、前記制御部は、設定モードの場合は、前記媒体に印刷された前記特殊コードを前記光学式センサーで読み取った読取結果に基づく前記設定情報を印刷装置に設定し、印刷モードかつ媒体種が郵便はがきである場合は、前記郵便はがきの郵便番号枠を前記光学式センサーで読み取り、前記郵便番号枠の読取結果に基づいて前記郵便はがきがセットされたセット向きの正否を判定し、前記セット向きが正しくない場合はエラー処理を行うことが好ましい。
【００１６】
この構成によれば、郵便番号枠検出用の光学式センサーを利用して、特殊コードの読み取りを行うことができる。このため、特殊コード読取専用の読取部（例えば光学式センサー）を設ける構成に比べ、簡単な構成で実現できる。
【００１７】
上記印刷装置において、前記印刷装置は、イメージセンサーを備えた複合機であって、前記画像形成用のヘッドは読取ヘッドであり、前記読取部は、前記読取ヘッドと共に移動可能なイメージセンサーであり、前記制御部は、前記読取ヘッドを移動させて前記イメージセンサーに前記媒体の前記特殊コードを読み取らせることが好ましい。
【００１８】
この構成によれば、読取部がイメージセンサーなので、光学式センサーに比べ、より高次元の特殊コード（例えば２次元コード）を読み取ることができる。よって、情報量のより多い設定情報を印刷装置に設定することができる。
【００１９】
上記印刷装置は、ネットワーク通信部を更に備え、前記設定情報は、前記ネットワーク通信部が通信ネットワークの形成に用いるネットワーク設定情報を含むことが好ましい。
ところで、ネットワーク設定情報には、識別ＩＤやパスワードが含まれるので、印刷装置に備わる簡易な入力装置を操作して１桁ずつ英数字を選択しながら多数桁を入力する入力操作は面倒である。この構成によれば、読取部に媒体の特殊コードを読み取らせればよいので、ネットワーク設定情報を比較的簡単に設定することができる。
【００２０】
上記課題を解決する印刷ユニットは、印刷データを生成する印刷制御装置と、前記印刷制御装置から出力された印刷データに基づき媒体に印刷を行う印刷装置とを備えた印刷ユニットであって、前記印刷制御装置は、入力装置から受け付けた設定情報を暗号化して特殊コードを生成する暗号化処理部と、前記特殊コードを印刷可能な印刷データを生成する印刷データ生成部とを備え、前記印刷装置は、媒体を搬送する搬送部と、前記媒体に印刷する印刷部と、前記媒体に印刷された情報を読み取る読取部と、前記搬送部、前記印刷部及び前記読取部を制御する制御部とを備え、前記制御部は、前記印刷制御装置から前記印刷装置が入力した印刷データに基づき前記搬送部及び前記印刷部を制御して前記媒体に前記特殊コードを印刷させる。
【００２１】
この構成によれば、印刷制御装置から印刷装置が入力した印刷データに基づき搬送部及び印刷部が制御されることにより、媒体に特殊コードが印刷される。よって、媒体に特殊コードを比較的簡単に印刷することができる。
【００２２】
上記課題を解決する印刷制御装置は、印刷装置と通信可能に接続されるホスト装置が備える印刷制御装置であって、前記ホスト装置の入力装置から設定情報を受け付ける設定情報取得部と、前記設定情報を暗号化して特殊コードに変換する暗号化処理部と、前記特殊コードを前記印刷装置に印刷させることが可能な印刷データを生成する印刷データ生成部とを備え、前記印刷データを印刷装置に出力する。
【００２３】
この構成によれば、ホスト装置の入力装置（例えばキーボード）を用いて英数字等を含む設定情報も比較的簡単に入力でき、設定情報を暗号化した特殊コードを印刷装置に印刷させることができる。
【００２４】
上記印刷制御装置は、前記入力装置から入力された設定情報を表示するとともに設定モードを選択可能な設定画面を表示部に表示させる表示制御部を更に備え、前記印刷データ生成部は、前記設定画面で前記設定モードが選択された状態で印刷の指示を受け付けると、前記設定情報を暗号化して変換した前記特殊コードを印刷可能な前記印刷データを生成し、一方、前記設定画面で前記設定モードが選択されていない状態で印刷の指示を受け付けると、前記設定情報を印刷条件とする印刷データを生成することが好ましい。
【００２５】
この構成によれば、ユーザーは、設定画面でホスト装置の入力装置を操作して入力した設定情報を確認しつつ入力操作ができる。また、設定画面を用いて、設定モードが選択された状態で印刷の指示をすれば、特殊コードを媒体に印刷でき、設定モードが選択されていない状態で印刷の指示をすれば、設定情報を印刷条件として媒体に印刷することができる。
【００２６】
上記課題を解決する印刷システムは、第１印刷装置と、１つ以上の第２印刷装置とを備えた印刷システムであって、前記第１印刷装置及び前記第２印刷装置は、媒体を搬送する搬送部と、前記媒体に印刷する印刷部と、前記媒体に印刷された情報を読み取る読取部と、前記搬送部、前記印刷部及び前記読取部を制御する制御部とをそれぞれ備え、前記第１印刷装置の前記制御部は、設定情報が暗号化された特殊コードを印刷し、前記第２印刷装置の前記制御部は、前記読取部が前記媒体から前記特殊コードを読み取った読取結果に基づく設定情報を前記第２印刷装置に設定することが好ましい。
【００２７】
この構成によれば、第１印刷装置が設定情報を暗号化した特殊コードを印刷した媒体を、第２印刷装置の読取部に読み取らせることにより、第２印刷装置に設定情報を比較的簡単に設定することができる。
【００２８】
上記課題を解決する印刷装置の設定方法は、画像形成用のヘッドと共に移動可能に設けられ、媒体に印刷された特殊コードを読み取る読取部を備えた印刷装置の設定方法であって、前記読取部が前記画像形成用のヘッドと共に移動して、前記媒体に印刷された前記特殊コードを読み取る読取ステップと、読み取った前記特殊コードに基づき設定情報を設定する設定ステップと、を備えている。
【００２９】
この方法によれば、読取ステップでは、媒体に印刷された特殊コードが、ヘッドと共に移動可能な読取部により読み取られる。設定ステップでは、読み取られた特殊コードに基づく設定情報が印刷装置に設定される。よって、媒体に印刷された特殊コードを読取部に読み取らせるだけで、印刷装置に設定情報を設定できる。また、媒体に印刷されている情報が特殊コードなので、万一、その媒体を紛失しても、設定情報が外部に流出することを回避できる。また、読取部はヘッドと共に移動するので、印刷装置に読取部が固定されている構成に比べ、媒体における特殊コードの印刷位置を比較的自由に選択できる。
【図面の簡単な説明】
【００３０】
【図１】第１実施形態における印刷ネットワークシステムを示す模式図。
【図２】印刷装置の電気的構成を示すブロック図。
【図３】設定画面を示す模式図。
【図４】印刷ヘッドが設けられたキャリッジの模式底面図。
【図５】特殊コードを媒体に印刷する印刷装置を示す模式斜視図。
【図６】特殊コードを媒体から読み取る印刷装置を示す模式斜視図。
【図７】郵便はがきの郵便番号枠の検出動作を説明する模式図。
【図８】特殊コードを読み取った読取信号を説明する模式図。
【図９】設定リストを示す模式図。
【図１０】設定項目一覧のデータを示す模式図。
【図１１】コード印刷ルーチンを示すフローチャート。
【図１２】設定処理ルーチンを示すフローチャート。
【図１３】第２実施形態における印刷ネットワークシステムを示す模式図。
【図１４】設定処理ルーチンを示すフローチャート。
【発明を実施するための形態】
【００３１】
（第１実施形態）
以下、印刷装置の第１実施形態について図面を参照して説明する。
図１に示すように、印刷ネットワークシステムＰＮＳは、１つのホスト装置１０と、ホスト装置１０からの指示に従って印刷動作を行う複数の印刷装置２０と、ホスト装置１０と印刷装置２０との間の無線通信を仲介するアクセスポイント５０とを備える。印刷装置２０が例えば社内でビジネス用途に使用される場合、各印刷装置２０には社内で統一の印刷設定内容（印刷条件）が設定されている。また、社内でアクセスポイント５０を介して無線ＬＡＮ（Local Area Network）が構築される場合、各印刷装置２０に対して、アクセスポイント５０を介した無線通信を可能にするために、ＳＳＩＤ（Service Set ID）等の識別ＩＤ及びパスワード（暗号化キー）を設定する必要がある。このように社内で無線ＬＡＮを構築する印刷装置２０では、社内ルールや業務内容上の統一の必要性から、識別ＩＤ、パスワード及び印刷設定（印刷条件）等を含む同じ設定内容の設定情報が設定される。なお、印刷設定は、個々の印刷ジョブや媒体の種類（媒体種）に応じて設定される印刷条件ではなく、例えば社内の印刷仕様として複数の印刷装置２０に統一の印刷条件を設定することを指す。また、本例のホスト装置１０、印刷装置２０及びアクセスポイント５０は、無線通信規格（例えばＩＥＥＥ８０２．１１の規格）に準じた無線ＬＡＮ通信機能を備える。
【００３２】
図１に示すように、ホスト装置１０は、本体１１と入力装置１２と表示部１３とを備えている。本体１１には、印刷装置２０を駆動させる印刷ドライバー１４が含まれる。入力装置１２は、例えばキーボード１２Ａとマウス１２Ｂとにより構成される。印刷ドライバー１４は、印刷装置２０にアクセスポイント５０を介した無線ＬＡＮの形成に必要なネットワーク設定情報を含む設定情報を設定するための後述する特殊コードを媒体Ｐに印刷させる機能を有している。本実施形態では、印刷ドライバー１４により、印刷装置２０を制御する印刷制御装置１５が構成される。また、本実施形態では、印刷制御装置１５と印刷装置２０とにより、印刷ユニットＰＵが構成される。なお、ホスト装置１０は、印刷装置２０と通信が可能な携帯情報端末（ＰＤＡ（Personal Digital Assistants））又はスマートフォン等のスマートデバイスなどであってもよい。
【００３３】
図１に示すように、印刷装置２０は、本体２１と、本体２１の背面部から斜め上方へ延出するとともに複数枚の用紙等の媒体をセット可能なスライド式の媒体載置部２２とを有している。また、本体２１の上面端部には、入力装置２４及び表示部２５を含む操作パネル２３が設けられている。なお、本体２１は、その下部に複数枚の媒体を収容可能な他の媒体積載部として不図示のカセットが着脱可能な状態で挿着された構成でもよい。
【００３４】
図１に示すように、印刷装置２０は、例えばホスト装置１０と通信ケーブル１０１を介して通信可能に接続され、ホスト装置１０から受信した印刷データに基づく印刷を行う。本体２１には、媒体載置部２２にセットされた媒体Ｐの本体２１内への給送から、印刷を終えた媒体Ｐを本体２１の前部に開口する排出口２１Ａから排出トレイ２６上へ排出するまでの媒体Ｐの搬送を行う搬送部２７と、搬送部２７により本体２１内を搬送される媒体Ｐに印刷データに基づく画像又は文書を印刷する印刷部２８とが設けられている。印刷部２８は、媒体Ｐの搬送方向Ｙと交差する幅方向Ｘ（走査方向Ｘともいう。）に沿って往復動可能なキャリッジ２９と、キャリッジ２９において搬送中の媒体Ｐと対向する底面に設けられた画像形成用のヘッドの一例としての印刷ヘッド３０とを備えている。本実施形態の画像形成用のヘッドは、キャリッジ２９と共に幅方向Ｘに移動し、印刷により媒体Ｐに画像を形成可能な印刷ヘッド３０により構成される。なお、印刷装置２０は、例えばメモリーカード又はＵＳＢメモリー等の携帯型記憶媒体を不図示のスロットに挿着し、携帯型記憶媒体から読み込んだ画像データ等に基づき画像等を媒体Ｐに印刷するスタンドアロンとして使用することも可能である。
【００３５】
図１に示すように、印刷ネットワークシステムＰＮＳは、ホスト装置１０と接続された複数の印刷装置２０からなる印刷システムＰＳを含む。複数の印刷装置２０のうち、ホスト装置１０から受信した印刷データＰＤに基づき、媒体Ｐに後述する特殊コード７１を印刷して設定シート７０（図５参照）を作成する印刷装置２０を、特に第１印刷装置２０Ａと称する。その他の１つ以上の印刷装置２０であって、設定シート７０を読み取って設定情報の設定処理を行う印刷装置２０を、第２印刷装置２０Ｂ〜２０Ｌと称する。印刷システムＰＳは、第１印刷装置２０Ａと、１つ以上の第２印刷装置２０Ｂ〜２０Ｌとにより構成されている。なお、特に複数の印刷装置２０Ａ〜２０Ｌを区別しない場合は、単に印刷装置２０と記す。
【００３６】
次に図２を参照して、印刷ネットワークシステムＰＮＳの電気的構成を説明する。図２に示すように、ホスト装置１０は、印刷ドライバー１４（図１参照）からなる印刷制御装置１５、有線通信部１６、無線通信部１７及び記憶部１８を備えている。無線通信部１７は、ＩＥＥＥ８０２．１１に準じた無線ＬＡＮ通信をするための電子回路及びソフトウェアにより構成される。無線通信部１７は、ホスト装置１０に設定されたＳＳＩＤとパスワードとを用いてアクセスポイント５０に接続し、アクセスポイント５０を介して複数の印刷装置２０との間で無線ＬＡＮを構築する。
【００３７】
印刷制御装置１５は、ホスト装置１０の本体１１内に設けられた不図示のコンピューターが記憶部１８に記憶されたプログラムＰＲ１を実行して構築される複数の機能部を備える。印刷制御装置１５は、複数の機能部として、表示制御部１５１、設定情報取得部１５２、判定部１５３、暗号化処理部１５４及び印刷データ生成部１５５を備える。なお、記憶部１８には、上記プログラムＰＲ１の他、印刷装置２０に設定すべき設定情報を特殊コードに変換する際に用いられる変換テーブルＣＴ１が記憶されている。
【００３８】
図２に示す表示制御部１５１は、入力装置１２からの指示に基づき、図３に示す設定画面６０を表示部１３に表示させる。図３に示すように、設定画面６０は、印刷装置２０に設定すべき設定情報の入力をユーザーに促す入力画面として機能する。設定画面６０には、ユーザーにより入力装置１２から入力された設定情報が表示される。設定画面６０には、印刷装置２０の装置本体に関する設定内容を設定するための本体設定部６１と、印刷装置２０に印刷条件を設定するための印刷設定部６２と、通信ネットワークの構築に必要なネットワーク設定情報を設定するためのネットワーク設定部６３とが設けられている。さらに設定画面６０には、設定モードを選択するために操作される設定操作部６４、及び印刷開始の指示を与えるために操作される印刷開始操作部６５が設けられている。設定モードが選択された状態で印刷開始が指示されると、設定情報が暗号化された特殊コード７１を印刷装置２０Ａに印刷させることが可能になっている。
【００３９】
図３に示すように、本体設定部６１には、印刷装置２０が自動電源オフされるまでの時間を選択可能な設定項目「自動電源オフ」はじめとする設定項目ごとにプルダウン式の選択部６６が用意されている。選択部６６は、ホスト装置１０のマウス１２Ｂを用いてプルダウン操作されると、設定内容（設定値）の選択肢の一覧が下側に表示され、ユーザーは一覧の中から所望の設定内容を選択する。一例として設定項目「自動電源オフ」では、自動電源オフまでの時間を、例えば１分、２分、３分、５分、１０分、…の一覧の中から選択できる。図３では、一例として「５分」が選択されている。なお、本体設定部６１には、例えば表示部２５の画面の明るさや、ＬＥＤからなる警告灯（図示略）の明るさ等を設定するための設定項目も含まれる。
【００４０】
また、印刷設定部６２には、媒体種、媒体サイズ、印刷色及び印刷モード等の印刷条件を選択可能なプルダウン式の選択部６７が用意されている。選択部６７は、ホスト装置１０のマウス１２Ｂを用いてプルダウン操作されると、設定内容（設定値）の選択肢の一覧が下側に表示され、ユーザーは一覧の中から所望の設定内容を選択する。図３の例では、設定項目「媒体種」には、普通紙、写真紙、再生紙、色紙、…などの選択肢が用意されている。また、設定項目「媒体サイズ」には、Ａ４判、Ｂ５判、Ａ５判、はがき、２Ｌ判、Ｌ判、…などの選択肢が用意されている。設定項目「印刷色」には、カラー／グレースケールの２つが選択肢として用意されている。さらに設定項目「印刷モード」には、高速／標準／高品質の３つの選択肢が用意されている。なお、標準／高品質の２つの選択肢としてもよい。図３では、一例として、媒体種「普通紙」、媒体サイズ「Ａ４判」、印刷色「カラー」及び印刷モード「標準」が選択されている。
【００４１】
また、ネットワーク設定部６３には、アクセスポイント５０に接続する際に必要になる無線通信用の識別ＩＤ（ネットワーク名）であるＳＳＩＤの入力欄６８及びパスワードの入力欄６９が用意されている。設定項目「ＳＳＩＤ」及び「パスワード」の各入力欄６８，６９には、ホスト装置１０のキーボード１２Ａを用いて複数桁の英数字が入力される。
【００４２】
図３に示す設定画面６０において、「設定モードで印刷する」の項目において、設定操作部６４で「オン」を選択すると、設定モードが指定され、不図示の「オフ」を選択すると、設定モードは指定されない。この場合、例えば印刷モードが指定される。そして、ユーザーが印刷開始操作部６５を操作すると、印刷制御装置１５のコンピューターは、図１１にフローチャートで示されるコード印刷ルーチンを実行する。このコード印刷処理を実行する印刷制御装置１５では、設定情報取得部１５２、判定部１５３、暗号化処理部１５４及び印刷データ生成部１５５が起動される。
【００４３】
図２に示す設定情報取得部１５２は、設定情報が入力済みの設定画面６０において、ユーザーが入力装置１２を用いて印刷開始操作部６５を操作すると、設定画面６０で入力済みの設定情報を取得する。設定画面６０での選択情報及び入力情報は、記憶部１８に一時記憶されている。設定情報取得部１５２は、記憶部１８における設定画面６０と対応付けられた所定の記憶領域から設定情報を取得する。
【００４４】
判定部１５３は、設定操作部６４が設定モードの選択位置にあるか否かを判定する。判定部１５３は、設定操作部６４が設定モードのオン位置にあれば、設定モードと判定し、設定操作部６４が設定モードのオフ位置にあれば、設定モードではない（例えば印刷モードである）と判定する。
【００４５】
暗号化処理部１５４は、設定情報から変換テーブルＣＴ１を用いて特殊コードに変換する。本実施形態において、暗号化処理とは、テキストや英数字、数値等からなる設定情報のデータを、バーコード等の１次元コード又はＱＲコード（登録商標）等の２次元コードからなる特殊コードに変換することで、その印刷内容を見ても設定情報の内容が分からない暗号化状態にする処理を指す。なお、特殊コードは、１次元コードや２次元コードに限定されず、暗号化状態にあれば、数字列、文字列、模様でもよい。
【００４６】
印刷データ生成部１５５は、設定画面６０で設定モードが選択された状態で印刷の指示を受け付けると、設定情報を暗号化した特殊コード７１を印刷可能な印刷データＰＤを生成する。また、印刷データ生成部１５５は、設定モードが選択されていない印刷モードの状態で印刷の指示を受け付けると、印刷設定部６２に指定された印刷設定情報に基づく印刷条件で、指定の画像又は文書を印刷可能な印刷データＰＤを生成する。印刷データＰＤは、印刷制御装置１５によって有線通信部１６から通信ケーブル１０１を介して印刷装置２０Ａへ送信される。
【００４７】
図２に示すように、印刷装置２０は、制御部３１、有線通信部３２、ネットワーク通信部の一例としての無線通信部３３、印刷エンジン３４、光学式センサー３５及び記憶部３６を備えている。制御部３１は、印刷装置２０の操作系、表示系、印刷系及び通信系などの各種の制御を統括的に司る。制御部３１には、操作パネル２３を構成する入力装置２４及び表示部２５の他、有線通信部３２、無線通信部３３、印刷エンジン３４及び読取部の一例としての光学式センサー３５が電気的に接続されている。また、記憶部３６は、例えばＲＡＭ及び不揮発性メモリーからなる。記憶部３６には、設定処理用のプログラムＰＲ２、及び印刷装置２０の動作を制御する制御プログラムを含む各種のプログラム、変換テーブルＣＴ２及び設定項目一覧ＲＤのデータが記憶されている。
【００４８】
図２に示す制御部３１は、集積回路（ＩＣチップ）等により構成されるコンピューターからなり、ＣＰＵ（図示略）を備える。制御部３１は、ホスト装置１０の印刷制御装置１５から特殊コード７１を印刷するための印刷データＰＤを入力すると、その印刷データＰＤに基づき、ホスト装置１０側の入力装置１２を用いてユーザーにより入力された設定情報が暗号化された特殊コード７１を媒体Ｐに印刷する。また、制御部３１は、前述のメニュー及びユーザーに通知するべき各種のメッセージを表示部２５に表示させる表示制御を行う。制御部３１は、入力装置２４から入力した操作信号に基づき、表示部２５に表示されたメニューの中から選択された項目に応じた各種の設定情報や、印刷を指示する印刷指示情報を受け付ける。つまり、入力装置２４は、例えば矢印キー又は十字キー等による簡易な操作しかできないものの、設定情報の入力にも使用できる。
【００４９】
制御部３１は、入力装置２４のうち所定の操作スイッチの操作信号に基づき、印刷モードから設定モードへの切り替え、あるいは設定モードから印刷モードへの切り替えを行う。制御部３１は、設定モードにあるとき、所定の指示を受け付けると、媒体載置部２２から媒体（例えば設定シート７０）を所定位置まで搬送し、設定シート７０に印刷された特殊コード７１を光学式センサー３５に読み取らせ、その読取結果に基づき設定情報を取得する。そして、制御部３１は、取得した設定情報を記憶部３６の設定用の記憶領域に書き込むことにより、設定情報を印刷装置２０に設定する。また、制御部３１は、印刷モードにあるときは、印刷データＰＤに基づく画像又は文書を媒体Ｐに印刷する。
【００５０】
有線通信部３２は、ホスト装置１０の有線通信部１６との間で通信ケーブル１０１を介した通信を司る。有線通信部３２は、ホスト装置１０の印刷制御装置１５から通信ケーブル１０１を介して印刷データＰＤを受信する。
【００５１】
無線通信部３３は、ＩＥＥＥ８０２．１１に準じた無線ＬＡＮ通信をするための電子回路及びソフトウェアからなる。無線通信部３３が、アクセスポイント５０に接続して通信ネットワーク（無線ＬＡＮ）を形成するために必要なＳＳＩＤ及びパスワードからなるネットワーク設定情報が印刷装置２０に設定されている必要がある。
【００５２】
図２に示す印刷エンジン３４は、媒体Ｐを搬送する搬送部２７と、媒体Ｐに印刷する印刷部２８とを備える。搬送部２７は、印刷対象の媒体Ｐを搬送する搬送ローラー等を有する搬送機構及びその動力源となる搬送モーター（いずれも図示略）とを備える。印刷部２８は、搬送部２７により搬送された媒体Ｐに印刷する移動式（シリアル式）の印刷機構を有し、例えば図４に示す構成を有する。なお、光学式センサー３５は、印刷部２８のうち走査方向Ｘに移動する部分に取り付けられ、搬送された媒体Ｐに対して読み取りを行う。
【００５３】
図４は、印刷部２８における媒体Ｐが搬送される搬送経路と対向する側の面（底面）を示す。図４に示すように、印刷部２８は、ガイド軸４０と、ガイド軸４０に案内されて走査方向Ｘに往復動が可能なキャリッジ２９とを備えている。キャリッジ２９の底部には、印刷ヘッド３０が設けられている。印刷ヘッド３０の底面には、複数のノズルＮが所定のノズルピッチで１列に配列されてなるノズル列３０Ｋ，３０Ｃ，３０Ｍ，３０Ｙが、例えばインク色と同数の数だけ設けられている。図２に示す制御部３１は、例えばホスト装置１０から受信した印刷データＰＤに基づき印刷部２８を構成する印刷ヘッド３０（図４参照）を駆動制御し、ノズルＮからインク滴を吐出して、搬送中の媒体Ｐに画像等を印刷する。
【００５４】
また、図４に示すキャリッジ２９には、媒体Ｐの幅方向Ｘの両側端（エッジ）を検出可能な媒体幅センサー４１と、前述の光学式センサー３５とが設けられている。両センサー３５，４１は、印刷ヘッド３０と共に移動可能に設けられている。両センサー３５，４１は、キャリッジ２９の底面における例えば印刷ヘッド３０よりも搬送方向Ｙの上流側の位置に配置されている。図２に示す制御部３１は、光学式センサー３５及び媒体幅センサー４１を制御する。ここで、印刷モードかつ媒体種が「郵便はがき（はがき）」である場合、制御部３１は、光学式センサー３５に郵便番号枠ＰＢ（図７参照）を読み取らせた読取結果に基づき郵便はがきＰ１のセット向きの正否を判定し、セット向きが正しくない場合はエラー処理を行う。また、制御部３１は、設定モードにある場合、図６に示すように媒体載置部２２にセットされた設定シート７０を本体２１内の所定位置まで搬送した位置で、キャリッジ２９を走査方向Ｘに移動させて光学式センサー３５に設定シート７０上の特殊コード７１を読み取らせる。
【００５５】
図７は、光学式センサー３５が郵便はがきＰ１の郵便番号枠ＰＢを検出する検出処理を説明する。図７に示すように、光学式センサー３５は、郵便はがきＰ１の宛名面の上部に配置された郵便番号枠ＰＢの色（例えば朱色）と郵便はがきＰ１の地の色（例えば白色）との反射光の違いから郵便番号枠ＰＢを検出する。制御部３１は、印刷モードかつ媒体種が「はがき」であるとき、図７に示すように、光学式センサー３５が郵便番号枠ＰＢを走査可能な位置まで郵便はがきＰ１を搬送する。次に制御部３１は、キャリッジモーターを駆動させてキャリッジ２９を走査方向Ｘに移動させることにより、光学式センサー３５が郵便はがきＰ１に対して郵便番号枠ＰＢを横断する図７に矢印で示す経路ＳＰ１で走査し、郵便番号枠ＰＢの有無、及び郵便番号枠ＰＢが有った場合はさらに郵便番号枠ＰＢの位置を検出する。
【００５６】
ここで、図７に示すように、光学式センサー３５が同図に矢印で示す経路ＳＰ１で郵便はがきＰ１を走査したときの検出信号Ｓ１は、郵便番号枠ＰＢの枠線位置で検出値が極小値をとる。制御部３１は、例えば検出信号Ｓ１の計算範囲内の平均値Ｍ、最小値Ｓmin、最大値Ｓmax、及び同図に示す計算範囲で極小値をとる走査方向Ｘの位置座標を基に、郵便番号枠ＰＢであるか否かを判定する。こうして制御部３１は、宛名面印刷の給送時に、郵便はがきＰ１の搬送方向Ｙの前端部に郵便番号枠ＰＢを検出できれば、郵便はがきＰ１が正しくセットされたものと判定する。
【００５７】
一方、郵便はがきＰ１の前端部に郵便番号枠ＰＢを検出できなかった場合、制御部３１は、郵便はがきＰ１を搬送方向Ｙの下流側へ搬送してその後端部の所定位置に対して前端部と同様に光学式センサー３５に郵便番号枠ＰＢの検出処理を行わせる。そして、制御部３１は、郵便はがきＰ１の後端部で郵便番号枠ＰＢを検出できれば、郵便はがきＰ１のセット向きが前後逆向きである旨のエラーメッセージを表示部２５に表示する。また、郵便はがきＰ１の前端部にも後端部にも郵便番号枠ＰＢが検出されなければ、ユーザーが宛名面と通信面とを表裏逆向きにセットしている旨のエラーメッセージを表示部２５に表示する。制御部３１は、郵便はがきＰ１のセット向きの間違いを検出した場合、エラー処理として、上記のエラーメッセージの表示処理と、郵便はがきＰ１の排出トレイ２６上への排出処理とを行う。また、制御部３１は、郵便はがきＰ１のセット向きが正しい場合、検出された郵便番号枠ＰＢ内に郵便番号が収まるように印刷エンジン３４を制御して宛名印刷をする。
【００５８】
図８は、光学式センサー３５が設定シート７０上の特殊コード７１を読み取る読取処理を説明する。制御部３１は、設定モードで指示を受け付けると、搬送部２７を構成する搬送モーターを制御し、図８に示すように、光学式センサー３５が特殊コード７１（バーコード７２）を走査可能な所定位置まで媒体Ｐを搬送する。次に制御部３１は、印刷部２８を構成するキャリッジモーターを駆動させて光学式センサー３５により図８に矢印で示す経路ＳＰ２で特殊コード７１を読み取る。図８に示すように、光学式センサー３５の検出信号Ｓ２は、特殊コード７１の黒色のバーを検出するときに低下して極小値をとる。このため、極小値をとるときの走査方向Ｘの位置座標を基にバーの幅中心位置が分かる。また、バーの幅が広いほど極小値が相対的に小さくなる。また、媒体Ｐにおいてバーの間隔に相当する媒体Ｐの地の白色部分は検出値が高く一定値をとり、一定値をとる領域の幅がバーの間隔に比例する。制御部３１は、極小値と位置座標と一定値の幅とに基づき、特殊コード７１を構成する各バーの幅及び間隔を取得し、これらの情報からコード値を取得する。制御部３１は、取得した特殊コード７１のコード値を、変換テーブルＣＴ２を参照して、複数組の設定項目と設定内容（設定値）に変換する。なお、特殊コード７１から変換される設定項目と設定内容の組は少なくとも１組あれば足りる。
【００５９】
図２に示す制御部３１は、コンピューターがプログラムＰＲ２を実行することによって、表示部２５、有線通信部３２、無線通信部３３、印刷エンジン３４及び光学式センサー３５等を制御する。また、制御部３１は、コンピューターが設定処理用プログラムを実行することにより、解析部３１１、設定情報取得部３１２及び設定部３１３として機能する。
【００６０】
解析部３１１は、印刷データＰＤ中の印刷コマンドを解析したり、設定シート７０を読み取って取得した特殊コード７１を解析したりする機能を有する。
設定情報取得部３１２は、解析部３１１の解析結果に基づき設定情報を取得する。
【００６１】
設定部３１３は、設定情報を記憶部３６における設定用の記憶領域に書き込むことにより、印刷装置２０に設定情報を設定する。制御部３１は、印刷装置２０の起動時に記憶部３６から読み出した本体設定情報に従って自動電源オフ時間等を本体に設定し、またネットワーク設定情報を用いてアクセスポイント５０と接続することで無線ネットワークを形成する。
【００６２】
次に、図７〜図１２等を参照して、印刷ネットワークシステムＰＮＳ及び印刷装置２０の作用を説明する。
印刷装置２０は、購入後初めて使用されるときネットワーク設定情報が未設定である。このため、ユーザーは印刷装置２０にネットワーク設定情報を設定する必要がある。印刷装置２０の入力装置２４を用いて設定情報を入力し設定しようとすると、入力装置２４のキー数が限られているので、ＳＳＩＤ及びパスワードなどの英数字からなるネットワーク設定情報を入力する場合、１桁ずつ英数字を選択しながら多数桁の入力を行う必要があるため、その入力操作が非常に面倒である。そこで、本実施形態では、ホスト装置１０に内蔵された印刷制御装置１５が、ホスト装置１０の表示部１３に図３に示す設定画面６０を表示する。ユーザーは、ホスト装置１０のキーボード１２Ａを操作して設定画面６０に設定情報を入力することができる。
【００６３】
ユーザーは、ホスト装置１０の入力装置１２を操作して、設定画面６０で、本体設定情報、印刷設定情報及びネットワーク設定情報を入力する。すなわち、ユーザーは、入力装置１２を操作して設定項目毎の設定内容（設定値）として、プルダウン操作で下側に表示される一覧の中から所望の設定内容（値）を設定する。また、ネットワーク設定では、キーボード１２Ａを操作して、多数桁の英数字からなるＳＳＩＤ及びパスワードを入力する。
【００６４】
そして、ユーザーは設定画面６０中の「印刷モードで印刷する」の項目で設定操作部６４により「オン」の位置を選択したうえで、印刷開始操作部６５を操作する。すると、印刷制御装置１５のコンピューターは、図１１に示すコード印刷処理ルーチンを実行する。
【００６５】
まずステップＳ１１において、コンピューターは、設定画面６０に入力された設定項目と設定値（設定内容）をすべて取得することにより、設定情報を入力する。
ステップＳ１２において、コンピューターは、設定画面６０において「設定モードで印刷する」の項目がオンになっているか否かを判断することにより、設定モードであるか否かを判断する。設定モードであればステップＳ１３に進み、設定モードでなければ、つまり通常の印刷モードであれば、当該ルーチンを終了する。なお、当該ルーチンを終了した場合、制御部３１は、設定画面６０から取得した印刷設定情報を基に媒体Ｐに印刷を行う。
【００６６】
ステップＳ１３において、コンピューターは、入力した設定情報を二値化する。
次のステップＳ１４において、コンピューターは、二値化データを、変換テーブルＣＴ１を用いて、特殊コードに変換する。
【００６７】
ステップＳ１５において、コンピューターは、印刷データＰＤを印刷可能な印刷データＰＤに変換する。
ステップＳ１６において、コンピューターは、印刷データＰＤを印刷装置２０に出力することにより、媒体Ｐに特殊コード７１を印刷させる。こうして図５に示すように、印刷装置２０は、媒体Ｐに特殊コード７１を印刷し、特殊コードが印刷された設定シート７０が作成される。
【００６８】
次にユーザーは設定シート７０を設定対象の印刷装置２０の媒体載置部２２にセットし、印刷装置２０に読み取らせることにより、印刷装置２０に各装置間で共通のネットワーク設定情報を含む設定情報を設定する。
【００６９】
まずユーザーは、設定対象の印刷装置２０の入力装置２４を操作して設定モードに切り替える。そして、設定シート７０を媒体載置部２２にセットした後、入力装置２４のうち所定の操作スイッチを押下する。制御部３１のコンピューターは、所定の操作スイッチからの操作信号を入力すると、図１２に示す設定処理ルーチンを実行する。
【００７０】
まずステップＳ２１において、コンピューターは、設定モードであるか否かを判断する。設定モードであればステップＳ３２に進み、設定モードでなければ、つまり印刷モードであれば、当該ルーチンを終了する。後者の場合、コンピューターは、不図示の印刷処理ルーチンを実行し、取得したデータを基に媒体Ｐに印刷を行う。
【００７１】
ステップＳ２２において、コンピューターは、搬送部２７を駆動させて設定シート７０を搬送し、光学式センサー３５により特殊コード７１の読取データを取得する。詳しくは、コンピューターは、搬送部２７を駆動させ、搬送方向Ｙにおいて特殊コード７１が光学式センサー３５の検出位置に配置される位置まで設定シート７０を搬送する。次に印刷部２８のキャリッジモーターを駆動してキャリッジ２９を走査方向Ｘに移動させることにより、印刷ヘッド３０と共に光学式センサー３５を走査方向Ｘに移動させる。図８に示すように、光学式センサー３５は、設定シート７０に対してその幅方向外側の位置から特殊コード７１（バーコード７２）をそのバーと交差する方向に横断して移動し、その移動途中に特殊コード７１を読み取る。その結果、制御部３１内のコンピューターには、光学式センサー３５から図８の下段に示す検出信号Ｓ２が入力される。コンピューターは、検出信号Ｓ２をＡ／Ｄ変換して特殊コード７１の読取データを取得する。なお、本実施形態では、ステップＳ２２の処理が、読取ステップの一例に相当する。
【００７２】
次のステップＳ２３において、コンピューターは、特殊コード７１の読取データを、変換テーブルＣＴ２を用いて、複数組の設定項目と設定値とに変換して、図９に示す設定リスト８１を作成する。
【００７３】
ステップＳ２４において、コンピューターは、記憶部３６から設定項目一覧ＲＤのデータを読み出し、設定項目一覧ＲＤ中の設定項目と設定リスト８１中の設定項目とを比較する。この比較は、設定項目一覧ＲＤ中の１番目の設定項目から順番に行う。
【００７４】
ステップＳ２５において、コンピューターは、設定項目一覧ＲＤの中に設定リスト８１中の設定項目があるか否かを判断する。すなわち、ステップＳ２４の比較結果から、設定項目一覧ＲＤ中の着目している設定項目に一致する設定項目が設定リスト８１中に存在するか否かを判断する。一致する設定項目があればステップＳ２６に進み、一致する設定項目がなければステップＳ２８に進む。
【００７５】
ステップＳ２６において、コンピューターは、設定リスト８１中の一致した設定項目に設定値が指定されているか否かを判断する。設定値が指定されていればステップＳ２７に進み、設定値が指定されていなければステップＳ２８に進む。
【００７６】
ステップＳ２７において、コンピューターは、一致した設定項目の設定値（設定内容）を変更する。すなわち、コンピューターは、記憶部３６の所定記憶領域に予め記憶されている対応する設定項目の初期値（デフォルト値）を、設定リスト８１中の一致した設定項目に指定された設定値に変更する。
【００７７】
ステップＳ２８において、コンピューターは、読み取った設定項目が残っているか否かを判断する。設定項目が残っていればステップＳ２４に戻り、ステップＳ２４〜Ｓ２８の各処理を繰り返し、残りの設定項目について設定項目一覧ＲＤにあり、かつその設定項目に設定値が指定されていれば、その設定項目の設定値を指定の設定値に変更する。こうして設定リスト８１中の全ての設定項目について設定値を更新し終わると、当該ルーチンを終了する。ここで、設定リスト８１に設定値が指定されていない設定項目が存在した場合、その設定項目の設定値はデフォルト値に維持される。なお、本実施形態では、ステップＳ２４〜Ｓ２８の各処理により、設定ステップの一例が構成される。
【００７８】
こうして最初の１台目の印刷装置２０Ａの設定情報の設定が終わると、２台目以降の印刷装置２０Ｂ〜２０Ｌについても、順番に設定シート７０を読み取らせることで設定情報を設定する。この結果、複数の印刷装置２０Ａ〜２０Ｌに、共通の設定情報を比較的簡単な操作で設定することができる。
【００７９】
以上詳述した本実施形態によれば、以下に示す効果を得ることができる。
（１）印刷装置２０は、移動可能に設けられた画像形成用のヘッドの一例としての印刷ヘッド３０と、印刷ヘッド３０と共に移動可能に設けられ、媒体Ｐに印刷された特殊コード７１を読み取る読取部の一例としての光学式センサー３５と、印刷ヘッド３０及び光学式センサー３５を制御する制御部３１とを備える。制御部３１は、光学式センサー３５が媒体Ｐに印刷された特殊コード７１を読み取った読取結果に基づき設定情報を取得し、取得した設定情報を設定する。よって、媒体Ｐに印刷された特殊コード７１を光学式センサー３５に読み取らせれば、複数の印刷装置２０に設定情報を設定することができる。また、媒体Ｐに印刷されている情報が、テキストが例えばバーコード７２に暗号化された特殊コード７１なので、万一、その媒体Ｐを紛失しても、設定情報が外部に流出することを回避できる。また、光学式センサー３５は印刷ヘッド３０と共に移動するので、印刷装置に読取部が固定されている特許文献２に記載の構成に比べ、媒体Ｐにおけるより広いエリアに特殊コード７１を印刷しかつその読み取りができるので、より情報量の多い設定情報を印刷装置２０に設定することができる。よって、設定情報に関する情報が印刷された媒体Ｐ（設定シート７０）を読み取る構成にしても、設定情報を、外部への流出を抑えつつ印刷装置２０に比較的簡単に設定できる。
【００８０】
（２）光学式センサー３５は、印刷ヘッド３０が設けられたキャリッジ２９に設けられている。よって、印刷ヘッド３０を移動させるキャリッジ２９を利用して、光学式センサー３５を媒体Ｐに対して移動させることができる。このため、読取部専用の移動機構を設ける構成に比べ、比較的簡単な構成で実現できる。
【００８１】
（３）印刷装置２０に設定可能な設定項目の一覧を示す設定項目一覧ＲＤのデータを記憶する記憶部３６を更に備える。制御部３１は、光学式センサー３５が読み取った特殊コード７１を、少なくとも１組の設定項目と設定内容とに変換し、設定項目が設定項目一覧ＲＤに含まれた設定項目と一致した場合は、当該一致した設定項目の設定内容（設定値）を変更する。よって、印刷装置２０に設定情報を簡単かつ正しく設定することができる。
【００８２】
（４）制御部３１は、入力装置１２を用いて入力された設定情報が暗号化された特殊コード７１を媒体Ｐに印刷して設定シート７０を作成する。つまり、１台の印刷装置２０が、設定シート７０の作成機能と設定シート７０の読取り機能とを兼ね備える。例えば設定シート作成専用の印刷装置と、設定シート読み取り専用の印刷装置とが別々である構成の場合、この種の設定を行う場合に機能の異なる２台の印刷装置を用意する必要がある。しかし、本実施形態の印刷装置２０は、設定シート作成機能と設定シート読み取り機能とを兼ね備えているので、機能を考慮せず印刷装置２０を順番に増やせばよい。
【００８３】
（５）制御部３１は、設定モードの場合、媒体Ｐに印刷された特殊コード７１を光学式センサー３５で読み取った読取結果に基づく設定情報を印刷装置２０に設定する。一方、制御部３１は、印刷モードかつ媒体種が「郵便はがき」の場合、郵便はがきＰ１の郵便番号枠ＰＢを光学式センサー３５で読み取り、郵便番号枠ＰＢの読取結果に基づいて郵便はがきＰ１のセット向きの正否を判定し、セット向きが正しくない場合はエラー処理を行う。よって、郵便番号枠検出用の光学式センサー３５を利用して、特殊コード７１の読み取りを行うことができる。このため、特殊コード読取専用の読取部（例えば光学式センサー）を設ける構成に比べ、簡単な構成で実現できる。
【００８４】
（６）設定情報には、印刷装置２０がネットワーク通信部の一例として備える無線通信部３３が通信ネットワークの形成に用いるネットワーク設定情報（例えばＳＳＩＤとパスワード）が含まれている。ネットワーク設定情報を含む場合、印刷装置２０に備わる簡易な入力装置２４を操作して、１桁ずつ英数字を選択しながら多数桁からなる識別ＩＤ及びパスワードを入力する入力操作は面倒である。これに対して、本実施形態では、光学式センサー３５に設定シート７０の特殊コード７１を読み取らせればよいので、ネットワーク設定情報を比較的簡単に設定することができる。
【００８５】
（７）印刷装置２０と共に印刷ユニットＰＵを構成する印刷制御装置１５は、入力装置１２から受け付けた設定情報を暗号化して特殊コード７１を生成する暗号化処理部１５４と、特殊コード７１を印刷可能な印刷データＰＤを生成する印刷データ生成部１５５とを備える。印刷装置２０は、搬送部２７、印刷部２８、光学式センサー３５及び制御部３１を備える。制御部３１は、印刷制御装置１５から印刷装置２０が入力した印刷データＰＤに基づき搬送部２７及び印刷部２８を制御して媒体Ｐに特殊コード７１を印刷させる。よって、設定シート７０を比較的簡単に作成することができる。
【００８６】
（８）ホスト装置１０が備える印刷制御装置１５は、ホスト装置１０の入力装置１２から設定情報を受け付ける設定情報取得部１５２と、設定情報を暗号化して特殊コードに変換する暗号化処理部１５４と、印刷装置２０に特殊コード７１を印刷させることが可能な印刷データＰＤに特殊コードを変換する印刷データ生成部１５５とを備える。そして、印刷制御装置１５は、印刷データＰＤを印刷装置２０に出力する。よって、ホスト装置１０の入力装置１２（例えばキーボード１２Ａ）を用いて英数字等を含む設定情報を比較的簡単に入力でき、設定情報を暗号化した特殊コード７１を印刷装置２０に印刷させることができる。
【００８７】
（９）印刷制御装置１５は、設定画面６０を表示部１３に表示させる表示制御部１５１を備える。設定画面６０は、入力装置１２から入力した設定情報が表示されるとともに設定モードを選択可能になっている。印刷制御装置１５は、設定モードであるか否かに応じた印刷データを生成する印刷データ生成部１５５を備える。印刷データ生成部１５５は、設定モードが選択された設定画面６０で印刷の指示を受け付けると、設定画面６０に入力された設定情報を暗号化した特殊コード７１を印刷可能な印刷データＰＤを生成する。一方、印刷制御装置１５は、設定画面６０で設定モードが選択されていない状態、つまり印刷モードの状態で印刷の指示を受け付けると、設定画面６０に入力された設定情報（印刷設定情報）を印刷条件とする印刷データＰＤを生成する。よって、ユーザーは、設定画面６０でホスト装置１０の入力装置１２を操作して入力した設定情報を確認しつつ入力操作ができる。また、設定画面６０を用いて、設定モードが選択された状態で印刷の指示をすれば、特殊コード７１を印刷した設定シート７０を作成でき、設定モードが選択されていない状態で印刷の指示をすれば、設定情報を印刷条件として媒体Ｐに印刷することができる。
【００８８】
（１０）印刷システムＰＳは、第１印刷装置２０Ａと、１つ以上の第２印刷装置２０Ｂ〜２０Ｌとを備えている。第１印刷装置２０及び第２印刷装置２０は、搬送部２７、印刷部２８、媒体Ｐに印刷された情報を読み取る光学式センサー３５、及び制御部３１をそれぞれ備える。第１印刷装置２０Ａの制御部３１は、設定情報が暗号化された特殊コード７１を印刷して設定シート７０を作成する。第２印刷装置２０Ｂ〜２０Ｌの制御部３１は、光学式センサー３５が設定シート７０から特殊コード７１を読み取った読取結果に基づく設定情報を第２印刷装置２０Ｂ〜２０Ｌに設定する。よって、第１印刷装置２０Ａが設定情報を暗号化した特殊コード７１を印刷することで作成された設定シート７０を、第２印刷装置２０の光学式センサー３５に読み取らせることにより、第２印刷装置２０Ｂ〜２０Ｌに設定情報を比較的簡単に設定することができる。
【００８９】
（１１）印刷ヘッド３０と共に移動可能な光学式センサー３５を備えた印刷装置２０の設定方法では、光学式センサー３５が印刷ヘッド３０と共に移動して、媒体Ｐに印刷された特殊コード７１を読み取る読取ステップ（Ｓ２２）と、読み取った特殊コード７１に基づき設定情報を設定する設定ステップ（Ｓ２３〜Ｓ２８）とを備えている。よって、媒体Ｐに印刷された特殊コード７１を光学式センサー３５に読み取らせるだけで、印刷装置２０に設定情報を設定できる。また、設定シート７０に印刷されている情報が特殊コード７１なので、万一、設定シート７０を紛失しても、設定情報が外部に流出することを回避できる。さらに、光学式センサー３５は印刷ヘッド３０と共に移動するので、印刷装置に読取部が固定されている特許文献２に記載の従来の構成に比べ、媒体Ｐにおけるより広いエリアに特殊コード７１を印刷しその特殊コード７１の読み取りを行うことができる。
【００９０】
（第２実施形態）
次に図１３及び図１４を参照して、第２実施形態を説明する。図１３に示すように、本実施形態の印刷ネットワークシステムＰＮＳは、ホスト装置１０と通信ケーブル１０１を通じて接続された複数の印刷装置２００を備えている。なお、図１３では、印刷ネットワークシステムＰＮＳは、ホスト装置１０と接続された複数の印刷装置２００を備える。複数の印刷装置２００のうち、ホスト装置１０から印刷データＰＤを受信し、媒体Ｐに特殊コード７１を印刷して設定シート７０を作成する印刷装置２００を、特に第１印刷装置２００Ａと称する。その他の１つ以上の印刷装置２００であって、第１印刷装置２００Ａが印刷した設定シート７０を読み取って設定情報の設定処理を行う印刷装置２００を、第２印刷装置２００Ｂ〜２００Ｌと称する。そして、本実施形態では、第１印刷装置２００Ａと、１つ以上の第２印刷装置２００Ｂ〜２００Ｌとにより、印刷システムＰＳが構成されている。なお、特に複数の印刷装置２００Ａ〜２００Ｌを区別しない場合は、単に印刷装置２００と記す。
【００９１】
図１３に示す印刷装置２００は、印刷装置部２１０（プリンター部）と画像読取装置部２２０（スキャナー部）とを備えた複合機からなる。また、印刷装置２００の本体２０１には、操作パネル２０２、メモリーカード２０３を挿着可能なスロット２０４、及びデジタルカメラ２５０やカメラ付きのスマートフォン等の携帯端末（図示略）と通信ケーブル２６０を介して接続可能な接続部２０５、携帯端末との間で近距離無線通信を行うことが可能な近距離無線通信部２０６を有している。操作パネル２０２は、複数の操作スイッチを含む入力装置２０７と、メニューや設定情報等を表示可能な表示部２０８とを有している。
【００９２】
印刷装置部２１０は、本体２０１の下部の不図示の開口部に着脱可能な状態で挿着されるとともに、複数枚の媒体を収容可能なカセット２１１を有している。印刷装置部２１０は、カセット２１１から給送した媒体Ｐを所定の搬送経路に沿って搬送するとともに搬送経路の途中で印刷された媒体Ｐを、本体２０１の前部に開口する排出口２１２を通ってスライド式の排出トレイ２１３上に排出する搬送部２７と、搬送経路の途中で媒体Ｐに印刷する印刷部２８とを備えている。搬送部２７と印刷部２８は、基本的に第１実施形態における図１及び図２に示すものと同様である。
【００９３】
画像読取装置部２２０は、画像読取対象の原稿を載置可能な無色透明なガラス板２２１を有する原稿載置台２２２と、原稿載置台２２２のガラス板２２１上にセットされた原稿をガラス板２２１との間に挟んで押さえる原稿台カバー２２３とを備えている。また、画像読取装置部２２０におけるガラス板２２１の下方には、ガラス板２２１上に載置された原稿の画像を読み取り可能な画像読取部２２４が設けられている。画像読取部２２４は、主走査方向Ｘ１に沿って延びる画像形成用のヘッドの一例としての長尺状の読取ヘッド２２５と、読取ヘッド２２５を副走査方向Ｙ１に沿って往復移動させる動力源となる不図示の電動モーターとを備えている。読取ヘッド２２５は、主走査方向Ｘ１に沿って延びる長尺状の１次元のイメージセンサー２２６を有し、このイメージセンサー２２６は読取ヘッド２２５と共に副走査方向Ｙ１への往復移動が可能となっている。本実施形態の制御部３１は、イメージセンサー２２６に特殊コード７１を読み取らせる。特殊コード７１は、イメージセンサー２２６が読み取る構成のため、１次元コードであるバーコード７２に替え、ＱＲコード（登録商標）等の２次元コードとしてもよい。
【００９４】
印刷装置２００は、第１実施形態と同様のホスト装置１０と通信ケーブル１０１を介して接続されている。ホスト装置１０の本体１１には、印刷ドライバー１４からなる印刷制御装置１５が内蔵されている。印刷制御装置１５は、表示部１３に図３に示す設定画面６０を表示させる。ユーザーは、入力装置１２の操作により設定画面６０の選択部６６，６７で本体設定情報及び印刷設定情報を選択するとともに入力欄６８，６９にＳＳＩＤ及びパスワードをキー入力し、かつ設定操作部６４を設定モード選択位置としたうえで、印刷開始操作部６５を操作する。この結果、印刷制御装置１５は、設定画面６０に入力された設定情報を取得し、その取得した設定情報を特殊コードに変換し、その特殊コードを印刷可能な印刷データＰＤを生成する。印刷制御装置１５は、印刷データＰＤを印刷装置２００に出力する。印刷装置２００は、ホスト装置１０から受信した印刷データＰＤに基づき搬送部２７及び印刷部２８を駆動させて、媒体Ｐに特殊コード７１を印刷する。こうして媒体Ｐに特殊コード７１が印刷された設定シート７０が作成される。設定シートを作成するコード印刷処理は、基本的に第１実施形態と同様であり、印刷制御装置１５が図１１に示すコード印刷ルーチンを実行することにより行われる。なお、本実施形態では、印刷制御装置１５と印刷装置２００とにより、印刷ユニットＰＵが構成される。
【００９５】
ここで、本例のアクセスポイント５０（図１参照）の裏側には、ＳＳＩＤ及びパスワードが記載されたカードが差し込まれたスロット（いずれも図示せず）が設けられていたり、ＳＳＩＤ及びパスワードが記載された不図示のシールが貼付されていたりする。ユーザーは、デジタルカメラ２５０又は携帯端末を用いて、アクセスポイント５０に設けられた前述のカード又はシールを撮影した写真データを取得することもできる。この写真データは、通信又はメモリーカードによりホスト装置１０の印刷制御装置１５に取得される。印刷制御装置１５は、写真データ中のＳＳＩＤ及びパスワードの画像を解析してテキストデータを取得する不図示のＯＣＲ（Optical Character Reader）機能部（光学式文字読取部）を有し、この光学式文字読取部によりＳＳＩＤ及びパスワードのテキストデータを取得する。そして、印刷制御装置１５は、ＳＳＩＤ及びパスワードのテキストデータを特殊コードに変換するとともに、特殊コードを印刷するための印刷データＰＤを生成する。
【００９６】
前記第１実施形態では、印刷用のキャリッジ２９と共に走査方向Ｘに沿って移動可能な光学式センサー３５により特殊コードを読み取った。これに対して、本実施形態の印刷装置２００では、画像読取装置部２２０が設定シート７０の特殊コード７１をスキャンし、特殊コード７１のスキャンデータを取得するか、設定シート７０の特殊コード７１をデジタルカメラ２５０又は携帯端末で撮影し、特殊コード７１の写真データを取得する。
【００９７】
デジタルカメラ２５０又は携帯端末から印刷装置２００への写真データの取込みは、写真データが保存されたメモリーカード２０３をスロット２０４に挿入して行ったり、通信ケーブル２６０を介した通信で行ったり、さらに近距離無線通信部２０６を介した近距離無線通信により行ったりする。そして、制御部３１は、スキャンデータ又は写真データに含まれる特殊コードの画像を解析して、特殊コードを少なくとも１組の設定項目と設定値とに変換し、印刷装置２００に設定する。この設定処理は、制御部３１が、図１４に示す設定処理ルーチンを実行することにより行われる。なお、印刷装置２００の記憶部３６（図２参照）には、前記第１実施形態と同様に、プログラムＰＲ２，変換テーブルＣＴ２及び設定項目一覧ＲＤのデータが記憶されている。
【００９８】
次に印刷ネットワークシステムＰＮＳの作用を説明する。設定シート７０は、前記第１実施形態と同様の方法により作成される。すなわち、印刷制御装置１５が図１１に示すコード印刷ルーチンを実行して生成した印刷データＰＤに基づき、印刷装置２００が特殊コード７１を印刷することにより設定シート７０が作成される。
【００９９】
また、ネットワーク設定のみする場合は、アクセスポイント５０（図１参照）の裏側にあるカード又はシールに記載されたＳＳＩＤ及びパスワードを、ユーザーがデジタルカメラ２５０又は携帯端末を用いて撮影した写真データが、ホスト装置１０の印刷制御装置１５に取得される。印刷制御装置１５は、写真データをＯＣＲ機能部（光学式文字読取部）により解析して取得したＳＳＩＤ及びパスワードのテキストデータを特殊コードに変換し、その特殊コードを印刷するための印刷データＰＤに基づき、印刷装置２００が特殊コード７１を印刷して設定シート７０が作成される。よって、設定画面６０を表示させて入力欄６８，６９にＳＳＩＤ及びパスワードを入力するキー入力操作をする必要がない。
【０１００】
ユーザーは、印刷装置２００に設定シート７０を用いて設定情報を設定する設定処理を行わせる際は、入力装置２０７を操作して、設定モードを選択するとともに、設定シート７０をスキャンするか、特殊コード７１の写真データを取り込むかを指定しておく。スキャンを指定した場合、ユーザーは、設定シート７０を原稿載置台２２２のガラス板２２１上の所定位置にセットして原稿台カバー２２３を閉じる。一方、写真データを指定した場合、写真データを印刷装置２００に取り込む準備をしておく。
【０１０１】
ユーザーは、入力装置２０７のうち設定処理を開始させる際に操作される所定のスイッチ（例えば印刷開始スイッチ）を押下する。設定モード下で所定のスイッチが押下されると、制御部３１のコンピューターは図１４に示す設定処理ルーチンを実行する。
【０１０２】
まずステップＳ３１では、コンピューターは、設定モードであるか否かを判断する。設定モードであればステップＳ３２に進み、設定モードでなければ、つまり印刷モードであれば当該ルーチンを終了する。なお、当該ルーチンを終了した場合、制御部３１は、印刷モード時に印刷処理を行う不図示の印刷処理ルーチンを実行する。
【０１０３】
ステップＳ３２において、コンピューターは、印刷装置２００が取得するデータがスキャンデータであるか、写真データであるかを判断する。スキャンデータであればステップＳ３３に進み、写真データであればステップＳ３５に進む。
【０１０４】
ステップＳ３３において、コンピューターは、画像読取装置部２２０の画像読取部２２４を駆動させ、読取ヘッド２２５を副走査方向Ｙ１に移動させることによりイメージセンサー２２６に設定シート７０をスキャンさせて、特殊コード７１のスキャンデータを取得する。
【０１０５】
ステップＳ３４において、コンピューターは、特殊コード７１のスキャンデータを、変換テーブルＣＴ２を用いて設定項目と設定値に変換して、設定リスト８１を作成する。
一方、ステップＳ３５において、コンピューターは、設定シートの写真データを取得する。コンピューターは、例えば表示部２０８に写真データの取り込みを促すメッセージを表示する。ユーザーはメッセージに従って、写真データを印刷装置２００に取り込む作業を行う。ユーザーは予め撮影しておいた特殊コード７１の写真データを、通信ケーブル２６０を介した有線通信、メモリーカード２０３のスロット２０４への挿着、近距離無線通信のうちいずれかの方法により、デジタルカメラ２５０等から印刷装置２００に取り込む。
【０１０６】
ステップＳ３６において、コンピューターは、写真データからコード情報を取得する。コンピューターは、写真データ中の特殊コード７１の画像を解析してコード情報を取得する。
【０１０７】
ステップＳ３７において、コンピューターは、コード情報を、設定項目と設定値に変換して設定リスト８１を作成する。
ステップＳ３８において、コンピューターは、記憶部３６から設定項目一覧ＲＤのデータを読み出し、設定項目一覧ＲＤと設定リスト８１中の設定項目とを比較する。
【０１０８】
ステップＳ３９において、コンピューターは、設定項目一覧ＲＤに設定リスト８１中の設定項目があるか否かを判断する。設定項目一覧ＲＤに設定リスト８１中の設定項目があればステップＳ４０に進み、設定リスト８１中の設定項目がなければステップＳ４２に進む。
【０１０９】
ステップＳ４０において、コンピューターは、設定項目の設定値が指定されているか否かを判断する。設定項目の設定値が指定されていればステップＳ４１に進み、設定項目の設定値が指定されていなければステップＳ４２に進む。
【０１１０】
ステップＳ４１において、コンピューターは、一致した設定項目の設定値（設定内容）を変更する。
ステップＳ４２において、コンピューターは、読み取った設定項目が残っているか否かを判断する。設定項目が残っていれば、ステップＳ３８に戻り、ステップＳ３８〜Ｓ４２の各処理を繰り返すことにより、残りの設定項目について設定項目一覧ＲＤにありかつ設定値が指定されていれば、その設定項目について指定の設定値に変更する。こうして設定リスト８１中の全ての設定項目について設定値を更新し終わると、当該ルーチンを終了する。なお、本実施形態では、ステップＳ３４〜Ｓ４２の各処理により、設定ステップの一例が構成される。
【０１１１】
以下、同様に、他の複合機からなる印刷装置２００（２００Ｂ〜２００Ｌ）に対しても、同じ設定シート７０を画像読取装置部２２０にスキャンさせたり、設定シート７０を撮影した同じ写真データを印刷装置２００に取り込んだりすれば、他の印刷装置２００（２００Ｂ〜２００Ｌ）に対しても簡単に設定情報を設定することができる。なお、本例では、設定シート７０の印刷に使用された印刷装置２００Ａが、「第１印刷装置」の一例に相当し、その設定シート７０を用いて設定情報を設定する他の印刷装置２００Ｂ〜２００Ｌが、「第２印刷装置」の一例に相当する。
【０１１２】
以上詳述した第２実施形態によれば、第１実施形態で述べた前記（１）〜（１１）の効果を同様に得られる他、以下に示す効果が更に得られる。
（１２）印刷装置２００は、画像形成用のヘッドの一例としての読取ヘッド２２５と共に移動可能なイメージセンサー２２６を備えた複合機である。制御部３１は、読取ヘッド２２５を移動させてイメージセンサー２２６に設定シート７０の特殊コード７１を読み取らせる。読取部の一例がイメージセンサー２２６なので、光学式センサー３５に比べ、より高次元の特殊コード７１（例えば２次元コード）を読み取ることができる。よって、第1実施形態の構成に比べ、情報量のより多い設定情報を印刷装置２０に設定することができる。
【０１１３】
（１３）印刷装置２００が取得した特殊コード７１の写真データからコード情報を取得し、コード情報を複数組の設定項目と設定値からなる設定情報に変換し、印刷装置２００に設定情報を設定する。よって、設定シート７０をデジタルカメラ２５０等で撮影した写真データを印刷装置２００に取り込めば、印刷装置２００に設定情報を設定することができる。また、ネットワーク設定のみを行う場合、アクセスポイント５０の裏面のカード又はシールを撮影した写真データを印刷装置２００に取り込めば、簡単に印刷装置２００にネットワーク設定情報を設定することができる。
【０１１４】
（１４）複合機からなる印刷装置２００の設定方法では、イメージセンサー２２６が読取ヘッド２２５と共に移動して、媒体Ｐに印刷された特殊コード７１を読み取る読取ステップ（Ｓ３３）と、読み取った特殊コード７１に基づき設定情報を設定する設定ステップ（Ｓ３４，Ｓ３８〜Ｓ４２）とを備えている。よって、媒体Ｐに印刷された特殊コード７１を画像読取装置部２２０のイメージセンサー２２６に読み取らせるだけで、印刷装置２００に設定情報を設定できる。また、設定シート７０に印刷されている情報が特殊コード７１なので、万一、設定シート７０を紛失しても、設定情報が外部に流出することを回避できる。さらに、光学式センサー３５は印刷ヘッド３０と共に移動するので、印刷装置に読取部が固定されている特許文献２に記載の従来の構成に比べ、媒体Ｐにおけるより広いエリアに特殊コード７１を印刷することができる。
【０１１５】
なお、上記実施形態は以下のような形態に変更することもできる。
・前記第１実施形態におけるエラー処理は、エラーメッセージの表示処理のみ、又は郵便はがきＰ１の排出処理のみでもよい。さらにエラー処理は、郵便はがきＰ１のセット向きが前後逆向きの場合に印刷データ上で宛名印刷内容を前後逆向きに反転させたうえで印刷する印刷処理でもよい。
【０１１６】
・媒体幅センサー４１が、設定シート７０の特殊コード７１の読み取りを行ってもよい。この場合、媒体幅センサー４１が読取部の一例に相当する。
・印刷装置２０，２００は、印刷制御装置１５から受信した印刷データＰＤから設定項目と設定値のデータを取得して設定情報の設定のみ行い、印刷データＰＤに基づく印刷はしない構成でもよい。この場合、２台目の印刷装置２０Ｂ，２００Ｂを追加したときに、１台目の印刷装置２０Ａ，２００Ａに設定情報を暗号化した特殊コード７１を媒体Ｐに印刷させて設定シート７０を作成する。そして、その設定シート７０を２台目以降の印刷装置２０Ｂ〜２０Ｌ，２００Ｂ〜２００Ｌの光学式センサー３５又は画像読取装置部２２０に読み取らせることにより、２台目以降の印刷装置２０Ｂ〜２０Ｌ，２００Ｂ〜２００Ｌに設定情報を設定する。
【０１１７】
・前記各実施形態では、１台目の印刷装置２０Ａ，２００Ａに設定情報を設定する際も、設定シート７０を読み取らせて設定情報を設定したが、印刷制御装置１５が１台目の印刷装置２０Ａ，２００Ａに設定シートを作成させるために送信した印刷データＰＤを解析して取得した設定情報（設定項目と設定値）を設定する構成としてもよい。この構成によれば、１台目の印刷装置２０に印刷させた設定シート７０を、１台目の印刷装置２０に読み取らせる必要がない。さらに印刷データを解析して設定情報の設定のみ行い、設定シートを印刷しない構成でもよい。この場合、２台目の印刷装置を追加したときに、印刷制御装置１５が１台目の印刷装置から設定情報を取得し、その設定情報から変換した特殊コードを印刷するための印刷データＰＤを印刷装置に送信し、２台目の印刷装置に読み取らせる設定シートを、１台目の印刷装置に作成させる構成としてもよい。
【０１１８】
・特殊コード７１を複数行のバーコード７２により構成し、読取部が複数行のバーコード７２を読み取る構成でもよい。画像形成用のヘッドと共に移動可能な読取部（光学式センサー３５）なので、読取部の複数回の走査によりこの種の特殊コード７１でも読み取ることができる。
【０１１９】
・設定情報は、本体設定、印刷設定及びネットワーク設定の３種類の設定内容を含んだが、ネットワーク設定のみを含む構成、本体設定のみを含む構成、印刷設定のみを含む構成でもよい。また、本体設定、印刷設定及びネットワーク設定のうちいずれか２種類を含む構成でもよい。また、上記以外に、複数桁の数字、英字、英数字を設定値として入力する設定を採用してもよい。複数桁の数字、英字、又は英数字を設定値として入力する設定の場合、特に２台目以降については、入力操作が簡単になり、特に効果的である。
【０１２０】
・前記実施形態において、特殊コードの印刷位置をユーザーが選択できる機能を設けてもよい。例えば設定画面６０に媒体Ｐにおける印刷位置を、Ｘ，Ｙ方向座標値で指定できる入力欄を設けたり、媒体の画像中にマウスの操作で位置を指定できる機能を設けたりすればよい。
【０１２１】
・ネットワーク設定情報は、無線通信用のネットワーク設定情報に限らず、有線通信用のネットワーク設定情報でもよい。また、ＩＰアドレスやＭＡＣアドレスを含んでもよい。
【０１２２】
・前記各実施形態では、ホスト装置１０の入力装置１２を用いて設定情報を入力したが、印刷装置２０、２００の入力装置２４、２０７を用いて設定情報を入力してもよい。この構成によれば、第１印刷装置２０Ａ，２００Ａに対しては入力装置２４、２０７を用いた面倒な操作で設定情報を入力する必要があるが、第２印刷装置２０Ｂ，２００Ｂ等に対しては第１印刷装置２０Ａ，２００Ａが印刷した設定シート７０を読み取らせれば簡単に設定情報を設定することができる。
【０１２３】
・印刷装置の制御部３１内に構築される各機能部は、プログラムを実行するコンピューターによりソフトウェアで実現されることに限定されず、例えばＦＰＧＡ（field-programmable gate array）やＡＳＩＣ（Application Specific IC）等の電子回路によりハードウェアで実現されたり、ソフトウェアとハードウェアとの協働により実現されたりしてもよい。
【０１２４】
・媒体は、用紙に限定されず、樹脂製のフィルムやシート、布、不織布、金属箔、金属フィルムなどでもよい。
・印刷装置は、シリアル印刷方式の印刷装置（シリアルプリンター）に限定されず、キャリッジが主走査方向と副走査方向との２方向に移動可能なラテラル印刷方式の印刷装置（ラテラル式プリンター）でもよい。
【０１２５】
・印刷装置は、インクジェット式プリンター以外に、ドットインパクト式プリンター、熱転写式プリンターや電子写真式プリンターでもよい。
・印刷装置は、用紙等の媒体に印刷を行う印刷装置に限らず、部品の基材等からなる媒体に樹脂液滴を吐出して三次元立体物を成形する３Ｄプリンターでもよい。この種の印刷装置でも、１台目の印刷装置に設定された設定情報を、２台目以降の印刷装置に簡単に設定することができる。
【符号の説明】
【０１２６】
１０…ホスト装置、１１…本体、１２…入力装置、１３…表示部、１４…印刷ドライバー、１５…印刷制御装置、２０，２０Ａ…印刷装置（第１印刷装置）、２０，２０Ｂ〜２０Ｌ…印刷装置（第２印刷装置）、２２…媒体載置部、２３…操作パネル、２４…入力装置、２５…表示部、２７…搬送部、２８…印刷部、２９…キャリッジ、３０…画像形成用のヘッドの一例としての印刷ヘッド、３１…制御部、３２…、３３…ネットワーク通信部の一例としての無線通信部、３４…、３５…光学式センサー、３６…記憶部、６０…設定画面、６１…本体設定部、６２…印刷設定部、６３…ネットワーク設定部、６６，６７…選択部、６８，６９…入力欄、６４…設定操作部、６５…印刷操作部、７０…設定シート、７１…特殊コード、７２…バーコード、８１…設定リスト、１５１…表示制御部、１５２…設定情報取得部、１５３…判定部、１５４…暗号化処理部、１５５…印刷データ生成部、２００，２００Ａ…印刷装置（第１印刷装置）、２００，２００Ｂ〜２００Ｌ…印刷装置（第２印刷装置）、２０７…入力装置、２０８…表示部、２２４…画像読取部、２２５…読取ヘッド、２２６…イメージセンサー、３１１…解析部、３１２…設定情報取得部、３１３…設定部、ＰＮＳ…印刷ネットワークシステム、ＰＳ…印刷システム、ＰＵ…印刷ユニット、ＲＤ…設定項目一覧（データ）、ＰＲ１…プログラム、ＰＲ２…プログラム、ＣＴ１…変換テーブル、ＣＴ２…変換テーブル、ＰＢ…郵便番号枠、ＰＤ…印刷データ、Ｐ…媒体、Ｐ１…優美はがき、Ｘ…幅方向（走査方向）、Ｙ…搬送方向、Ｘ１…主走査方向、Ｙ１…副走査方向。
【図１】
2018001526.tif 000003
【図２】
2018001526.tif 000004
【図３】
2018001526.tif 000005
【図４】
2018001526.tif 000006
【図５】
2018001526.tif 000007
【図６】
2018001526.tif 000008
【図７】
2018001526.tif 000009
【図８】
2018001526.tif 000010
【図９】
2018001526.tif 000011
【図１０】
2018001526.tif 000012
【図１１】
2018001526.tif 000013
【図１２】
2018001526.tif 000014
【図１３】
2018001526.tif 000015
【図１４】
2018001526.tif 000016